(57)【特許請求の範囲】
【請求項１】
第１のエンティティ（２０４、３０４、５０４、６０４．１）の制御システム（２２０、３２０）において、
−  前記第１のエンティティ（２０４、３０４、５０４、６０４．１）の少なくとも１つの供給媒体ユニット（２１０．１、２１０．２、３１０．１、３１０．２、３１０．３、３１０．４、３１２）の少なくとも１つの供給媒体計画を作成するように構成される少なくとも１つの予測モジュール（２２６、３２６）であって、
−  前記少なくとも１つの供給媒体ユニット（２１０．１、２１０．２、３１０．１、３１０．２、３１０．３、３１０．４、３１２）は、供給媒体消費体（２１０．１、２１０．２、３１０．１、３１０．２、３１０．３、３１０．４）及び／又は供給媒体生成体（３１２）及び／又は供給媒体貯蔵装置であり、
−  前記少なくとも１つの供給媒体ユニット（２１０．１、２１０．２、３１０．１、３１０．２、３１０．３、３１０．４、３１２）は、少なくとも１つの物理的供給チャネルネットワーク（２０２、３０２、５０２、６０２）に接続可能であり、
−  前記供給媒体計画は、将来の期間の供給媒体消費予測および／または将来の期間の供給媒体生成予測である、少なくとも１つの予測モジュール（２２６、３２６）と、
−  少なくとも１つのピアツーピア・ネットワーク（２２２、３２２、５２２、６２２）の少なくとも１つのピアツーピア・アプリケーション（２２４、４２４）と通信することによって少なくとも１つの更なるエンティティ（２０６、５０６、５６４、５６６、５６８、５７０、５７２、６０６．２、６６４．１、６６６．１、６６８．２、６７０．２、６７２．２）の少なくとも１つの供給媒体提供メッセージを受信するように構成される少なくとも１つのピアツーピア・モジュール（２１９．１、３１９）であって、
−  前記少なくとも１つの供給媒体提供メッセージは、供給媒体量、期間、及び少なくとも１つの取引基準のグループのうちの少なくとも１つの情報パラメータを備え、
−  前記ピアツーピア・モジュール（２１９．１、３１９）は、少なくとも前記供給媒体計画及び前記少なくとも１つの供給媒体提供メッセージに基づいて、前記第１のエンティティ（２０４、３０４、５０４、６０４．１）と前記更なるエンティティ（２０６、５０６、５６４、５６６、５６８、５７０、５７２、６０６．２、６６４．１、６６６．１、６６８．２、６７０．２、６７２．２）との間の供給媒体の物理的交換に関する供給媒体取引契約の生成に関する命令を備えるメッセージを前記ピアツーピア・アプリケーション（２２４、４２４）に送信することによって、当該ピアツーピア・アプリケーション（２２４、４２４）を使用して各エンティティが供給媒体の交換に適切な１つ又は複数のパートナーを検索可能とすることにより、２つのエンティティ間の供給媒体取引契約の生成を引き起こすように構成され、
−  前記供給媒体取引契約は、少なくとも交換される供給媒体の量及び前記交換の期間に関するデータを含む、少なくとも１つのピアツーピア・モジュール（２１９．１、３１９）と、
−  交換される前記供給媒体の量及び前記交換の前記期間に基づいて、前記少なくとも１つの供給媒体ユニット（２１０．１、２１０．２、３１０．１、３１０．２、３１０．３、３１０．４、３１２）を少なくとも作動及び／又は停止させることによって、生成された前記供給媒体取引契約に応じて前記少なくとも１つの供給媒体ユニット（２１０．１、２１０．２、３１０．１、３１０．２、３１０．３、３１０．４、３１２）を制御するように構成される少なくとも１つの制御モジュール（２２８、３２８）と、
を備える制御システム（２２０、３２０）。
【請求項２】
前記少なくとも１つの供給媒体ユニット（２１０．１、２１０．２、３１０．１、３１０．２、３１０．３、３１０．４、３１２）は、柔軟な供給媒体ユニット（２１０．１、２１０．２、３１０．１、３１０．２、３１０．３、３１０．４、３１２）であることを特徴とする請求項１に記載の制御システム（２２０、３２０）。
【請求項３】
−  前記制御システム（２２０、３２０）は、前記少なくとも１つの供給媒体提供メッセージの少なくとも１つの情報パラメータに基づいて、少なくとも１つの柔軟な供給媒体ユニット（２１０．１、２１０．２、３１０．１、３１０．２、３１０．３、３１０．４、３１２）の前記供給媒体計画を適合させるように構成される少なくとも１つの適合モジュール（３３４）を備え、
−  前記ピアツーピア・モジュール（２１９．１、３１９）は、少なくとも適合された前記供給媒体計画及び前記少なくとも１つの供給媒体提供メッセージに基づいて、前記ピアツーピア・アプリケーション（２２４、４２４）を使用して前記第１のエンティティ（２０４、３０４、５０４、６０４．１）と前記更なるエンティティ（２０６、５０６、５６４、５６６、５６８、５７０、５７２、６０６．２、６６４．１、６６６．１、６６８．２、６７０．２、６７２．２）との間の供給媒体の前記物理的交換に関する供給媒体取引契約の生成を引き起こすように構成される、
ことを特徴とする請求項１又は２に記載の制御システム（２２０、３２０）。
【請求項４】
前記適合モジュール（３３４）は、少なくとも１つの所定の仕様に基づいて少なくとも１つの柔軟な供給媒体ユニット（２１０．１、２１０．２、３１０．１、３１０．２、３１０．３、３１０．４、３１２）の前記供給媒体計画を適合させるように構成されることを特徴とする請求項３に記載の制御システム（２２０、３２０）。
【請求項５】
−  前記制御システム（２２０、３２０）は、前記第１のエンティティ（２０４、３０４、５０４、６０４．１）と前記物理的供給チャネルネットワーク（２０２、３０２、５０２、６０２）との接続（２０８、３０８）を介して移動される供給媒体の量を測定するように構成される少なくとも１つの計量モジュール（３３２）を備え、
−  前記計量モジュール（３３２）は、測定された前記供給媒体の量と供給媒体取引契約において合意された前記供給媒体の量とを比較するように構成される監視モジュール（３３６）に、測定された前記供給媒体の量を送信するように構成される、
ことを特徴とする請求項１〜４の何れか一項に記載の制御システム（２２０、３２０）。
【請求項６】
少なくとも前記制御モジュール（３２８）はホームオートメーション・コントローラ（３２０）の一部であることを特徴とする請求項１〜５の何れか一項に記載の制御システム（２２０、３２０）。
【請求項７】
−  前記ピアツーピア・アプリケーション（２２４、４２４）は分散型レジスタ（２２４、４２４）であり、
−  前記分散型レジスタ（２２４、３２４）は、前記ピアツーピア・ネットワーク（２２２、３２２、５２２、６２２）の参加体の少なくとも一部によって読取り可能である、
ことを特徴とする請求項１〜６の何れか一項に記載の制御システム（２２０、３２０）。
【請求項８】
前記ピアツーピア・ネットワーク（２２０、３２０）内の各コンピュータは前記ピアツーピア・アプリケーション（２２４、４２４）を備えることを特徴とする請求項１〜７の何れか一項に記載の制御システム（２２０、３２０）。
【請求項９】
前記ピアツーピア・アプリケーション（２２４、４２４）は、暗号化手段及び／又は署名手段及び／又は検証手段を備え、前記暗号化手段及び／又は署名手段及び／又は検証手段のうちの少なくとも１つの手段は、少なくとも生成された各供給媒体取引契約を格納するように構成されることを特徴とする請求項１〜８の何れか一項に記載の制御システム（２２０、３２０）。
【請求項１０】
前記ピアツーピア・アプリケーション（２２４、２４）は、互いに接続された少なくとも２つのブロック（４４６、４４８、４５０）を備えるブロックチェーン（２２４、４２４）又は分散型台帳であることを特徴とする請求項１〜９の何れか一項に記載の制御システム（２２０、３２０）。
【請求項１１】
データを格納するように構成される少なくとも１つのピアツーピア・ファイル記憶装置が提供されることを特徴とする請求項１〜１０の何れか一項に記載の制御システム（２２０、３２０）。
【請求項１２】
請求項１〜１１の何れか一項に記載の制御システム（２２０、３２０）を備えるホームオートメーション・コントローラ（３２０）。
【請求項１３】
−  少なくとも１つの物理的供給チャネルネットワーク（２０２、３０２、５０２、６０２）に接続可能な第１のエンティティ（２０４、３０４、５０４、６０４．１）と、
−  前記物理的供給チャネルネットワーク（２０２、３０２、５０２、６０２）に接続可能な少なくとも１つの更なるエンティティ（２０６、５０６、５６４、５６６、５６８、５７０、５７２、６０６．２、６６４．１、６６６．１、６６８．２、６７０．２、６７２．２）と、
−  少なくとも１つのピアツーピア・アプリケーション（２２４、４２４）を提供するように構成される少なくとも１つのピアツーピア・ネットワーク（２２２、３２２、５２２、６２２）と、を備える供給システム（２００、３００、５００、６００）であって、
−  前記エンティティ（２０４、３０４、５０４、６０４．１、２０６、５０６、５６４、５６６、５６８、５７０、５７２、６０６．２、６６４．１、６６６．１、６６８．２、６７０．２、６７２．２）のうちの少なくとも１つは、請求項１〜１０の何れか一項に記載の制御システム（２２０、３２０）を備え、
−  少なくとも１つの他のエンティティ（２０４、３０４、５０４、６０４．１、２０６、５０６、５６４、５６６、５６８、５７０、５７２、６０６．２、６６４．１、６６６．１、６６８．２、６７０．２、６７２．２）は、前記ピアツーピア・ネットワーク（２２２、３２２、５２２、６２２）に接続可能な少なくとも１つのピアツーピア・モジュール（２１９．２）を備える、
供給システム（２００、３００、５００、６００）。
【請求項１４】
制御システム（２２０、３２０）、具体的には請求項１〜１１の何れか一項に記載の制御システム（２２０、３２０）、を動作させる方法において、
−  第１のエンティティ（２０４、３０４、５０４、６０４．１）の少なくとも１つの供給媒体ユニット（２１０．１、２１０．２、３１０．１、３１０．２、３１０．３、３１０．４、３１２）の少なくとも１つの供給媒体計画を作成するステップであって、
−  前記少なくとも１つの供給媒体ユニット（２１０．１、２１０．２、３１０．１、３１０．２、３１０．３、３１０．４、３１２）は、供給媒体消費体（２１０．１、２１０．２、３１０．１、３１０．２、３１０．３、３１０．４）及び／又は供給媒体生成体（３１２）及び／又は供給媒体貯蔵装置であり、
−  前記少なくとも１つの供給媒体ユニット（２１０．１、２１０．２、３１０．１、３１０．２、３１０．３、３１０．４、３１２）は、少なくとも１つの物理的供給チャネルネットワーク（２０２、３０２、５０２、６０２）に接続可能であり、
−  前記供給媒体計画は、将来の期間の供給媒体消費予測および／または将来の期間の供給媒体生成予測である、ステップと、
−  少なくとも１つのピアツーピア・ネットワーク（２２２、３２２、５２２、６２２）の少なくとも１つのピアツーピア・アプリケーション（２２４、４２４）と通信することによって、少なくとも１つの更なるエンティティ（２０６、５０６、５６４、５６６、５６８、５７０、５７２、６０６．２、６６４．１、６６６．１、６６８．２、６７０．２、６７２．２）の少なくとも１つの供給媒体提供メッセージを受信するステップであって、
−  前記少なくとも１つの供給媒体提供メッセージは、供給媒体量、期間、及び少なくとも１つの取引基準のグループのうちの少なくとも１つの情報パラメータを備える、ステップと、
−  少なくとも前記供給媒体計画及び前記少なくとも１つの供給媒体提供メッセージに基づいて、前記第１のエンティティ（２０４、３０４、５０４、６０４．１）と前記更なるエンティティ（２０６、５０６、５６４、５６６、５６８、５７０、５７２、６０６．２、６６４．１、６６６．１、６６８．２、６７０．２、６７２．２）との間の供給媒体の物理的交換に関する供給媒体取引契約の生成に関する命令を備えるメッセージを前記ピアツーピア・アプリケーション（２２４、４２４）に送信することによって、当該ピアツーピア・アプリケーション（２２４、４２４）を使用して各エンティティが供給媒体の交換に適切な１つ又は複数のパートナーを検索可能とすることにより、２つのエンティティ間の供給媒体取引契約の生成を引き起こすステップであって、
−  前記供給媒体取引契約は、少なくとも交換される供給媒体の量及び前記交換の期間に関するデータを含む、ステップと、
−  交換される前記供給媒体の量及び前記交換の前記期間に基づいて、前記少なくとも１つの供給媒体ユニット（２１０．１、２１０．２、３１０．１、３１０．２、３１０．３、３１０．４、３１２）を少なくとも作動及び／又は停止させることによって、生成された前記供給媒体取引契約に応じて、前記少なくとも１つの供給媒体ユニット（２１０．１、２１０．２、３１０．１、３１０．２、３１０．３、３１０．４、３１２）を制御するステップと、
を備える方法。
【発明の詳細な説明】
【技術分野】
【０００１】
本発明は、エンティティの制御システム、ホームオートメーション・コントローラ、供給システム、及び制御システムを動作させる方法に関する。
【背景技術】
【０００２】
供給媒体をエンティティに供給するシステムは当該技術分野において知られている。供給システムの非網羅的な例は、給電ネットワーク、ガス供給ネットワーク、給水ネットワーク、及び地域暖房ネットワークである。
【０００３】
全ての供給システムは、本出願では、供給システムにおいて、少なくとも１つの供給媒体が、少なくとも１つの物理的、具体的にはグリッドベースの、供給チャネルネットワークを介して移動されることを特徴とする。供給媒体の非網羅的な例は、電流又は電力、淡水、廃水、又は灌漑用水などの水、天然ガス又は類似の（可燃性）ガスなどのガス媒体、例えば熱気の形態での温熱、及び例えば冷気の形態での冷熱である。
【０００４】
物理的供給チャネルネットワークは、少なくとも物理的グリッドベースの供給チャネルを備えることができる。供給チャネルネットワークの少なくとも１つの物理的供給チャネルは、電気ネットワークなどの給電システムの場合、電気ライン、好ましくは複数の電気エネルギーラインとすることができる。更に、ガス、熱、又は給水システムなどの他の供給システムに関しては、物理的、具体的にはグリッドベースの、供給チャネルネットワークは、例えば、パイプライン、具体的にはパイプラインのネットワーク、の形態で、少なくとも１つの流体ラインによって形成されることができる。
【０００５】
供給チャネルネットワークは、別個の孤立したネットワークなどの、少なくとも部分的に公共供給チャネルネットワーク及び／又は少なくとも部分的に民間供給チャネルネットワークとすることができる。
【０００６】
供給システムの少なくとも１つの物理的供給チャネルネットワークは、具体的には、少なくとも２つのエンティティを互いに接続することができる。例示的な給電システムでは、電気消費体の形態で少なくとも１つの供給媒体ユニットを備える少なくとも第１のエンティティは、電気生成体の形態で少なくとも１つの供給媒体ユニットを備える別のエンティティに接続されることができる。消費体は、供給チャネルネットワークの物理的チャネルを介して、生成体によって電力を供給されることができる。
【０００７】
全ての従来技術の供給システムに共通しているのは、中央サブシステム、中央処理、及び／又は中央機構もしくは中央インスタンスが、第１のエンティティとの及び更に他のエンティティとの供給媒体取引契約を生成するために、追加的に設けられているということである。換言すれば、供給媒体の購入及び販売は中央インスタンスによって中央制御されている。供給媒体の売買は専らこの中央インスタンス又は場合によっては更なる中央インスタンスを介して行われる。
【０００８】
技術的に言えば、対応する供給システムは、先端技術に従って、クライアント−サーバ構造によって実現される。中央機構又はインスタンスは、１つ又は複数の中央サーバによって作成される。この種のサーバ又はプラットフォームは、例えば様々なコンピューティングデバイス上に分散され、配置されることができる。これは、仮想サーバがクラウドによって実現されることができることを意味する。例えば、中央に置かれるデータベースが提供されることができる。しばしばプラットフォームとも呼ばれるこの種のデータベースの先端技術の例は、市場データベースもしくはクラウドプラットフォーム、配送履行データベースもしくはクラウドプラットフォーム、又は課金システムもしくはクラウドサービスである。具体的には、中央インスタンスは、供給媒体を注文するかもしくは売買する、課金処理を実行する、支払を監視する、及び／又はポートフォリオを管理するように構成されることができる。具体的には、供給媒体取引契約における中央サーバは、少なくとも２つのエンティティに対して秘密インスタンスとして使用される。サーバ又はプラットフォームなどの中央インスタンスはルールを定義する。これらの供給媒体取引契約は中央サーバによって実行されるので、処理は、関与する全てのエンティティ（消費体、生成体など）に対して正しく実行されることが保証される。言い換えれば、中央インスタンスは参加エンティティのうちの１つ及び／又は第三者による改ざんを防止する。
【０００９】
給電ネットワークの例に基づいて、典型的な従来技術の供給システム１００が図１を使用して説明される。図１は従来技術の供給システム１００の例示的な実施形態を示す。示されている供給システム１００は少なくとも１つの物理的供給チャネルネットワーク１０２を備える。物理的供給チャネルネットワーク１０２は、例えば地中接続及び／又は地上接続などの１つ又は複数の電気ラインによって形成される。更に、物理的供給チャネルネットワーク１０２は変圧器デバイス（図示せず）などを備えることができる。
【００１０】
第１のエンティティ１０４及び更なるエンティティ１０６は、電気接続１０８を介して物理的供給チャネルネットワーク１０２に接続される。接続１０８は、それぞれ、電流及び電力の双方向交換のために構成されることができる。例えば、第１のエンティティ１０４は１つ又は複数の供給媒体ユニット１１０、例えば電気消費体１１０、を備える家１０４とすることができる。従って、第１のエンティティ１０４はまた消費体１０４と呼ぶことができる。消費体１０４は、対応する接続１０８を介して供給システム１００から、具体的には物理的供給チャネルネットワーク１０２から、電力を取得することができる。
【００１１】
更に、第１のエンティティ１０４は制御システム１２０を含む。ホームオートメーション・コントローラ１２０などの制御システム１２０は、少なくとも１つの消費体１１０を制御するように構成されることができる。例えば、制御システム１２０は、例えば電気消費体１１０を無線で作動（又は停止）させるように構成される制御モジュールを備えることができる。
【００１２】
更なるエンティティ１０６、例えば家１０６、はまた、供給媒体ユニット１１２、１１４を備える。更なるエンティティ１０６は、少なくとも１つの電気消費体１１２に加えて、例えば光起電力デバイス１１４の形態での少なくとも１つの電気生成体１１４を有することができる。従って、更なるエンティティ１０６は生成体及び消費体である。この種のエンティティ１０６は生成消費体（生成体及び消費体）１０６と呼ぶことができる。
【００１３】
生成消費体１０６は、対応する接続１０８を介して供給システム１００から、具体的には物理的供給チャネルネットワーク１０２から、電力を取得することができるか又は電力を供給システム１００に、具体的には物理的供給チャネルネットワーク１０２に、供給することができる。
【００１４】
更に、中央サーバ１１６、具体的には中央管理サーバ１１６、が提供されることができる。中央管理サーバ１１６は供給システム１００を管理するように構成される。サーバ１１６は、通信接続１１８、例えばインターネット接続、を介して、又は手動データ読み取りによって、少なくとも２つのエンティティ１０４、１０６と通信することができる。具体的には、サーバ１１６と通信するために、各エンティティ１０４、１０６はクライアントデバイス（図示せず）を有することができる。
【００１５】
これは、中央管理サーバ１１６が、例えば第１のエンティティ１０４のクライアントデバイスからの照会メッセージに基づいて、将来の期間（例えば、１年以上）の供給媒体量の交換、具体的には配送、に関する管理サーバ１１６と第１のエンティティ１０４との間の供給媒体取引契約を生成することができることを意味する。更に、対応する方法で、供給媒体取引契約は、更なるエンティティ１０６からの供給媒体の交換、例えば受納、に関する管理サーバ１１６と更なるエンティティ１０６との間で生成されることができる。次いで、供給媒体は、物理的供給チャネルネットワーク１０２を介して更なるエンティティ１０６から第１のエンティティ１０４に移動されることができる。このように、供給媒体取引契約はエンティティ１０４、１０６の間で間接的に生成されている。代替的に、中央サーバ１１６を使用して、供給媒体取引契約はエンティティ１０４、１０６の間で生成されることができる。実際に交換された供給媒体の量に基づく後の課金も、中央インスタンス１１６によって実行される。例えば、それぞれのエンティティ１０４、１０６の計量モジュールは、サーバ１１６から読み出され、分析され、次いで分析に従って課金されることができる。
【発明の概要】
【発明が解決しようとする課題】
【００１６】
高い取引コストは別として、この種のサーバ−クライアント構造、特にサーバ（又はプラットフォーム）、の欠点は、中央インスタンス又は中央サーバが顧客データを管理することである。中央インスタンスを冒す永続的な問題は、１つのサーバ／複数のサーバに格納されている顧客データを、権限のない第三者によるアクセスから保護するという問題である。具体的には、高度のセキュリティのための支出が、顧客データ、課金データ、予測データなどが改ざんされることを防止するために必要とされる。これは、結果としてより高い取引コストをもたらす。
【００１７】
更なる欠点は、エンティティの制御システムが、ユーザの仕様に応じてのみ供給媒体ユニットを制御することである。これは、少なくとも１つの供給媒体ユニットの非効率的な動作をもたらす。
【００１８】
本発明の目的は、供給媒体取引契約の生成を簡素化すると同時に、高レベルのセキュリティを提供し、且つ少なくとも１つの供給媒体ユニットの動作の効率を高めるエンティティの制御システムを提供することである。
【課題を解決するための手段】
【００１９】
この目的は、特許請求項１に記載の制御システムによって本発明の第１の態様に従って解決される。第１のエンティティの制御システムは、第１のエンティティの少なくとも１つの供給媒体ユニットの少なくとも１つの供給媒体計画を作成するように構成される少なくとも１つの予測モジュールを備える。少なくとも１つの供給媒体ユニットは、供給媒体消費体及び／又は供給媒体生成体及び／又は供給媒体貯蔵装置である。少なくとも１つの供給媒体ユニットは、少なくとも１つの物理的供給チャネルネットワークに接続可能である。制御システムは、少なくとも１つのピアツーピア・ネットワークの少なくとも１つのピアツーピア・アプリケーションと通信することによって、少なくとも１つの更なるエンティティの少なくとも１つの供給媒体提供メッセージを受信するように構成される少なくとも１つのピアツーピア・モジュールを備える。ピアツーピア・モジュールは、少なくとも供給媒体計画及び少なくとも１つの供給媒体提供メッセージに基づいて、ピアツーピア・アプリケーションを使用して第１のエンティティと更なるエンティティとの間の供給媒体の物理的交換に関する供給媒体取引契約の生成を引き起こすように構成される。制御システムは、生成された供給媒体取引契約に応じて少なくとも１つの供給媒体ユニットを制御するように構成される少なくとも１つの制御モジュールを備える。
【００２０】
従来技術とは対照的に、供給媒体取引契約は、本発明によれば、中央インスタンスなしに２つのエンティティ間で容易に生成される。具体的には、中央サーバ又はプラットフォームの代わりに、本発明によれば、ピアツーピア・ネットワーク（フレームワークとも呼ばれる）は、ピアツーピア・アプリケーションを使用して供給媒体取引契約の生成の改ざん防止を保証する。ピアツーピア・ネットワークの場合、ネットワーク内の全てのコンピュータ（ピアノード）、ネットワーク内のピアコンピュータの少なくとも一部、が、供給媒体取引契約の正確性を監視及び／又は検証するという高いセキュリティ基準が達成される。取引コストが大幅に削減されることができる。中央の上位のプラットフォーム、サーバ、クラウドなどは必要がない。更に、供給媒体提供に基づいて供給媒体取引契約の生成を引き起こし、次いで前記生成された供給媒体取引契約に基づいて少なくとも１つの供給媒体ユニットの制御を引き起こすことによって、少なくとも１つの供給媒体ユニットのより効率的な動作が達成される。
【００２１】
本発明によれば、制御システムは予測モジュールを備える。予測モジュールは、少なくとも１つの供給媒体ユニットの将来の期間の供給媒体計画を生成するように構成される。例えば、少なくとも１つの供給媒体ユニットに関連する履歴データに少なくとも基づいて、それぞれの供給媒体計画が予測モジュールによって作成されることができる。
【００２２】
供給媒体計画は、単一の供給媒体ユニット用の個別の供給媒体計画又は（２つ以上の）グループ供給媒体ユニット用のグループ供給媒体計画とすることができる。例えば、グループ供給媒体計画は、エンティティの全ての制御可能な及び／又は制御不可能な供給媒体ユニットに対して作成されることができる。１つの実施形態では、複数の個別の供給媒体計画はグループ供給媒体計画に集約されることができる。
【００２３】
少なくとも１つの供給媒体ユニットは、供給媒体ネットワークに接続可能である供給媒体消費体及び／又は供給媒体生成体及び／又は供給媒体貯蔵装置である。換言すれば、少なくとも１つの供給媒体ユニットは、供給媒体を消費し、生成し、且つ／又は貯蔵するように構成されることができる。これにより、供給媒体貯蔵装置は、例えば、供給媒体を別の媒体又はエネルギー形態に変換することによって供給媒体を貯蔵することができる。一例はバッテリーである。
【００２４】
本発明による供給チャネルネットワークは、供給チャネルネットワークに接続可能な少なくとも２つのエンティティ間で少なくとも１つの供給媒体を移動するように準備される。網羅的ではないシステム、具体的には供給システム、の例は、給電ネットワーク、ガス供給ネットワーク、給水ネットワーク、及び地域暖房ネットワークである。
【００２５】
供給システムのタイプに応じて、電流もしくは電力、淡水、廃水、もしくは灌漑用水などの水、天然ガスもしくは類似の（可燃性）ガスなどのガス媒体、例えば熱気の形態での温熱、及び／又は、例えば冷気の形態での冷熱は、適切な物理的、特にグリッドベースの、供給チャネルネットワークを介して供給媒体として移動又は交換されることができる。
【００２６】
供給チャネルネットワークは、少なくとも部分的には公共供給チャネルネットワーク及び／又は少なくとも部分的には民間供給チャネルネットワークとすることができる。例えば、ネットワークは、供給システム内のエンティティ用（のみ）の別個のマイクログリッド又は仮想マイクログリッドとすることができる。ネットワークは、好ましくは公共ネットワークである。
【００２７】
前述したように、制御システムはエンティティ内に設置されることができる。エンティティは、物理的供給チャネルネットワークを介して供給媒体を少なくとも１つの更なるエンティティと交換するように構成されることもできる。エンティティは、例えば、建物、アパートなどの建物の一部、単一の（インテリジェントな）ユニットもしくは機械、又はビジネスなどとすることができる。１つの実施形態では、エンティティは、内部物理的供給チャネルネットワークを介して供給媒体を交換することができる少なくとも２つのサブエンティティを備えることができる。
【００２８】
供給媒体を更なるエンティティと交換するために、別のエンティティの少なくとも１つの供給媒体提供メッセージ、好ましくは２つ以上の更なるエンティティの複数の供給媒体提供メッセージ、が、ピアツーピア・アプリケーションによって提供されることができる。供給媒体提供メッセージは、少なくとも１つの更なるエンティティによって提供される供給媒体量に関する情報パラメータを少なくとも備えることができる。
【００２９】
制御システムのピアツーピア・モジュールは、ピアツーピア・アプリケーションからデータを読み出すように構成される。ピアツーピア・モジュールは、コンピュータ、モバイルユニット、テレビ、テレビセットなどの別のユニットのコンピューティング機構、又はこれらのユニットのうちの１つの少なくとも一部などのコンピューティングデバイスとすることができる。ピアツーピア・モジュールは、ハードウェア及び／又はソフトウェアモジュールとすることができる。
【００３０】
ピアツーピア・モジュールは、コンピュータ−コンピュータ・ネットワークとも呼ばれるピアツーピア・ネットワークと通信するように構成される。サーバがサービスを提供し、クライアントがサービスを使用するクライアント−サーバ・ネットワークと比較して、これらの役割はピアツーピア・ネットワークで削除される。ピアツーピア・ネットワークのピアツーピア・モジュール又はピアコンピュータなどの各参加体は、サービスなどを使用し且つそのようなサービスを提供することができる。具体的には、ピアツーピア・ネットワークは（上位レベルのユニットなしに）自己決定的及び／又は自己組織的である。この場合、好ましくは、ピアツーピア・ネットワークの各コンピュータはピアツーピア・アプリケーションを備える。具体的には、ピアツーピア・モジュールは、ピアツーピア・アプリケーションにメッセージを送信し、且つ／又はピアツーピア・アプリケーションに格納されているデータを読み取るように構成される。
【００３１】
ピアツーピア・ネットワークは、少なくとも、供給媒体提供メッセージを格納し、供給媒体取引契約を格納し且つ生成するように構成される。ピアツーピア・アプリケーションは、ピアツーピア・アプリケーション又はピアツーピア・アプリケーションのデータコンテンツが好ましくはピアツーピア・ネットワークの全ての参加体によってアクセス可能であることを特徴とする。２つ以上の、特に異なるピアツーピア・アプリケーションが、例えば１つ又は複数のピアツーピア・ネットワークによって提供されることができることが理解されるべきである。
【００３２】
少なくとも１つの供給媒体提供メッセージ及び少なくとも１つの供給媒体計画に基づいて、ピアツーピア・モジュールは、少なくとも１つの供給媒体取引契約の生成を引き起こすことができる。供給媒体取引契約は、具体的には、少なくとも２つの参加エンティティに関するデータ、例えば、ピアツーピア・ネットワークの少なくとも全参加体に知られているエンティティアドレスなどのユニークなＩＤ及び／又はハッシュコード、交換される供給媒体の量、交換の期間、及び／又は少なくとも１つの取引基準を含むことができる。生成された供給媒体取引契約の正確性及び／又は不変性は、具体的には、デジタル署名及び／又はハッシュ関数などのピアツーピア・アプリケーションによって提供される適切な検査及び／又は検証アルゴリズムによって、ピアツーピア・ネットワーク内のコンピュータの累積処理能力によって保証されることができる。
【００３３】
制御システムのピアツーピア・モジュールは、少なくとも、例えば供給媒体取引契約の生成に関する命令を備えるメッセージを送信することによって、２つのエンティティ間の供給媒体取引契約の生成を引き起こすか又は開始するように構成される。命令は、好ましくは、供給媒体計画及び供給媒体提供メッセージに基づく。具体的には、メッセージの送信体及び／又はメッセージの真正性を検証するための適切なコード及び、必要に応じて、少なくとも１つの鍵は、通信デバイスによってピアツーピア・アプリケーションに送信されるか又はピアツーピア・アプリケーションに書き込まれることができる。好ましくは、確認メッセージの送信体を検証するための適切な命令及び、必要に応じて、少なくとも１つの鍵を備える更なるエンティティからの確認メッセージの後に、対応する供給媒体取引契約は、有利にも、ピアツーピア・アプリケーションのピアツーピア・ネットワークによるチェックの後に生成されることができる。簡単に言えば、各エンティティは、ピアツーピア・ネットワーク又はピアツーピア・アプリケーションを使用して供給媒体の交換のために１つ又は複数の適切なパートナーを検索することができ、供給媒体取引契約は、ピアツーピア・アプリケーションを使用して生成されることができる。
【００３４】
ピアツーピア・ネットワークの全ての参加体又はエンティティのリストは、好ましくは、各参加体に、具体的には供給システムの各エンティティに、識別子として、例えば通信アドレスの形態で、知られることができる。
【００３５】
供給媒体取引契約の生成の後に、供給媒体はエンティティ間で適宜に交換されることができる。例えば、物理的供給チャネルネットワークを使用して第１のエンティティから他のエンティティに又は他のエンティティから第１のエンティティに移動されることができる。
【００３６】
更に、供給媒体取引契約の生成に基づいて、制御モジュールは少なくとも１つの供給媒体ユニットを制御する。例えば、合意された期間及び合意された供給媒体の量に基づいて、制御モジュールは供給媒体ユニットを作動及び／又は停止させる。制御モジュールは、第１のエンティティの別のデバイスの一部又はスタンドアロンデバイスとすることができる。
【００３７】
本発明の制御システムの第１の実施形態によれば、供給媒体計画は、将来の期間の供給媒体消費予測とすることができる。換言すれば、供給媒体計画は、翌週、翌日、次の時間などの特定の将来の期間に対する少なくとも１つの供給媒体ユニットの消費プロファイルとすることができる。代替的に又は追加的に、供給媒体計画は、将来の期間の供給媒体生成予測とすることができる。換言すれば、供給媒体計画は、翌週、翌日、次の時間などの特定の将来の期間に対する少なくとも１つの供給媒体ユニットの生成プロファイルとすることができる。供給媒体計画は、好ましくは、それぞれの場合に、複数のサブ期間（例えば、１５分間隔、言い換えれば９６サブ期間）に分割されることができる翌日の前日に作成されることができる。
【００３８】
制御システムの好ましい実施形態では、少なくとも１つの供給媒体ユニットは、柔軟な供給媒体ユニットとすることができる。柔軟とは、供給媒体が少なくとも１つの適合可能な動作パラメータを有し、動作パラメータは少なくとも所定のパラメータ範囲内で適合可能であることを意味する。例えば、１つの動作パラメータは、時間当たりに消費及び／又は生成される供給媒体の量とすることができる。この動作パラメータは適応可能とすることができ、例えば、それは増加又は低減されることができる。代替的又は追加的に、動作パラメータは、作動期間及び／又は作動時点とすることができる。また、このパラメータは適応可能である。例えば、供給媒体ユニットの作動時間は、移動、短縮、及び／又は拡大されることができる。一例として、少なくとも１つの供給媒体ユニットは、柔軟な供給媒体消費体及び／又は柔軟な供給媒体生成体及び／又は柔軟な供給媒体貯蔵装置とすることができる。少なくとも１つの柔軟な動作パラメータに応じて、将来の期間のそれぞれの供給媒体計画は適合／変更されることができる。
【００３９】
供給媒体計画は、好ましくは、制御システムを備える各エンティティ用に作成されることができる。前述したように、供給媒体計画は、具体的には、供給媒体の需要及び／又は供給に関する少なくとも１つの将来の期間における第１のエンティティの複数の供給媒体ユニットに対する予測を備えることができる。例えば、供給媒体計画の作成は、供給媒体の過去の需要／供給に関する履歴データ、気象データなどの（外部）予測データ及び／又はカレンダーデータ、個人の滞在（居住者への帰宅時及び／又は事業の処理の開始時の予測を含む）などのユーザ仕様、バッテリーなどの貯蔵装置に関する容量データなどに基づくとすることができる。供給媒体計画の作成は、具体的には、エンティティ、好ましくは少なくとも１つのピアツーピア・アプリケーションと通信するローカルアプリケーションによって構成されることができる。例えば、ガス供給システムの場合、供給媒体計画の作成は、エンティティによるガスの消費履歴に基づくとすることができる。更に、天気予報及び気温データなどが考慮されることができる。同様に、他の種類の供給システムに関して、供給媒体計画が作成されることができる。供給媒体計画に基づいて、制御システムのピアツーピア・モジュールは、供給媒体クエリ又は供給媒体提供メッセージをピアツーピア・ネットワーク、具体的には前述のピアツーピア・アプリケーションに送信することができる。各エンティティ又はそれに割り当てられたピアツーピア・モジュールは、好ましくは、送信された情報を読み取ることができる。
【００４０】
更に、更なる実施形態によれば、少なくとも１つの供給媒体提供メッセージは、供給媒体量、期間、及び少なくとも１つの取引基準のグループのうちの少なくとも１つの情報パラメータを備えることができる。供給媒体提供メッセージは、有利にも、前述のデータエントリの少なくとも全てを備えることができる。更に、ピアツーピア・ネットワーク内の各参加体に知られている固有のアドレスなどの送信体識別子、タイムスタンプ、更なる取引基準などが含まれることができる。
【００４１】
特に好ましい実施形態によれば、制御システムは、少なくとも１つの供給媒体提供メッセージの少なくとも１つの情報パラメータに基づいて、少なくとも１つの柔軟な供給媒体ユニットの供給媒体計画を適合させるように構成される少なくとも１つの適合モジュールを備えることができる。例えば、供給媒体計画は、少なくとも１つの柔軟な供給媒体ユニットの少なくとも１つの柔軟な動作パラメータを適合させることによって適合されることができる。例えば、特定の将来の期間の供給媒体の提供される量が低い（低すぎる）場合、少なくとも１つの供給媒体ユニットの計画された作動、例えばそれぞれの作動パラメータ、がシフトされることができる。代替的に又は追加的に、少なくとも１つの供給媒体ユニットによって単位時間当たりに消費及び／又は生成及び／又は貯蔵されるように計画されている供給媒体の量は、適合される（例えば、増加又は減少される）ことができる。別の例は、価格データのような提供された取引基準が、別の将来の期間中よりも第１の将来の期間中において、より高いとすることができる。この場合においても、少なくとも１つの供給媒体の計画された作動及び／又は少なくとも１つの供給媒体ユニットによって単位時間当たりに消費及び／又は生成及び／又は貯蔵される供給媒体の計画された量は、それに応じて適合されることができる。
【００４２】
好ましくは、ピアツーピア・モジュールは、ピアツーピア・アプリケーションを使用して、少なくとも適合された供給媒体計画及び少なくとも１つの供給媒体提供メッセージに基づいて、第１のエンティティと更なるエンティティとの間の供給媒体の物理的交換に関する供給媒体取引契約の生成を引き起こすように構成されることができる。エンティティの１つ又は複数の供給媒体ユニットの動作効率は更に改善されることができる。供給媒体計画の適合は少なくとも１つの供給媒体提供メッセージに基づくことが理解されるべきである。
【００４３】
更なる実施形態によれば、適合モジュールは、少なくとも所定の仕様に基づいて、少なくとも１つの柔軟な供給媒体ユニットの供給媒体計画を適合させるように構成されることができる。所定の仕様は一般的なルールとすることができる。例えば、エンティティの少なくとも１つの供給媒体ユニット、好ましくは全ての供給媒体ユニットは低コストで、且つ／又は環境に優しく動作されるべきであると指定されることができる。例えば、それぞれの最大取引基準は予め決定されることができる。一例として、エンティティのユーザは、前記少なくとも１つの仕様を決定することができる。
【００４４】
適合モジュールは、好ましくは、少なくとも１つの供給媒体提供メッセージ、供給媒体計画における可能な柔軟性、及び少なくとも１つの所定の仕様に応じて、少なくとも１つの供給媒体計画を適合（最適化）させるために、反復最適化処理を実行するように構成されることができる。
【００４５】
更に、別の実施形態によれば、制御システムは、第１のエンティティと物理的供給チャネルネットワークとの接続を介して移動される供給媒体の量を測定するように構成される少なくとも１つの計量モジュールを備えることができる。各エンティティは、好ましくは、対応する計量モジュールを有するか又は少なくともそれに接続可能とすることができる。計量モジュールは、具体的には、例えば、ガスメータ、電気メータ、流量メータなどのスマートメータとすることができる。供給媒体の量は、好ましくは、経時的に測定されることができる。これは、所与の時間にわたって移動された、すなわち供給された又は除去された、供給媒体の量が測定されることを可能にする。ピアツーピア・モジュールは、測定された供給媒体量をピアツーピア・アプリケーションに転送するように構成されることができる。例えば、通信リンクが、エンティティに割り当てられたピアツーピア・モジュールと少なくとも１つの計量モジュールとの間に提供されることができる。ピアツーピア・モジュールは、好ましくは、供給媒体取引契約に応じて、契約で指定された期間にわたって測定された供給媒体量をピアツーピア・アプリケーションに送信することができる。更なるエンティティは、好ましくは、対応する方法で供給媒体量を測定し、それをピアツーピア・アプリケーションに送信することができる。ピアツーピア・アプリケーションに送信された情報、具体的には実際に供給された及び／又は受け取られた供給媒体の量、のチェックは、例えば、上述のように、その後ピアツーピア・ネットワークによって実行されることができる。供給媒体の正確な物理的交換は、中央インスタンスなしで容易に保証されることができる。エンティティ又は第三者による改ざんは防止されることができる。
【００４６】
好ましくは、計量モジュールは、供給媒体の測定された量を監視モジュールに送信するように構成されることができる。監視モジュールは、供給媒体の測定された量を、供給媒体取引契約において合意された供給媒体の量と比較するように構成されることができる。監視ユニットは制御モジュールに結合されることができる。監視ユニットが合意された供給媒体取引契約からの逸脱を検出する場合、監視ユニットはこの情報を制御モジュールに転送することができる。制御モジュールは、この情報に応じて、例えば特定の供給媒体ユニットに利用可能な供給媒体量を減少させることによって少なくとも１つの供給媒体ユニットを制御するように構成されることができる。他の措置が、少なくとも逸脱を減少させるために制御モジュールによって引き起こされることができる。換言すれば、リアルタイム監視が提供されることができる。
【００４７】
制御システムの好ましい実施形態では、少なくとも制御モジュールは、ホームオートメーション・コントローラの一部である。ホームオートメーション・コントローラは、プロセッサ並びにプログラムメモリ及びメインメモリなどの記憶手段を備えることができる。ホームオートメーション・コントローラは、少なくとも１つの供給媒体ユニットを制御するために制御信号を生成するように構成されることができる。一例として、ホームオートメーション・コントローラは、少なくとも１つの供給媒体ユニットと無線通信するように構成されるインタフェースを備えることができる。制御モジュールはまた、内部ピアツーピア・ネットワークの一部とすることができるか又は内部ピアツーピア・ネットワークとして実現されることができることが理解されるべきである。
【００４８】
制御システムの好ましい実施形態によれば、ピアツーピア・アプリケーションは分散型レジスタである。分散型レジスタは、ピアツーピア・ネットワークの参加体の少なくとも一部によって読取り可能とすることができる。具体的には、制御システムのピアツーピア・モジュールを含む全てのコンピュータノードは、ピアツーピア・アプリケーションを備えることができる。分散型レジスタは、ピアツーピア・ネットワークの各参加体によって少なくとも読み取られることができる。具体的には、ピアツーピア・ネットワークの全てのピアツーピア・モジュール及び他の全てのコンピュータは、好ましくは、レジスタとして形成されるピアツーピア・アプリケーション内の全ての情報を読み取ることができる。また、ピアツーピア・ネットワークの全てのピアツーピア・モジュール及び他の全てのコンピュータは、ピアツーピア・アプリケーションにメッセージを送信するか又はピアツーピア・アプリケーションにメッセージを書き込むことができることが好ましい。情報は、簡単な方法で、好ましくは全ての参加体に利用可能にされることができる。これは、分散型レジスタに格納された情報のレビュー及び／又は検証を実行することを可能にする。特に好ましくは、ピアツーピア・ネットワーク内の各コンピュータは、特にピアツーピア・アプリケーションに格納されたより古い情報に基づいて、新しい情報をレビューするように構成される。
【００４９】
更に、各コンピュータは、それぞれの場合において、完全なデータコンテンツを備えることができることが好ましいが、ピアツーピア・アプリケーションの、特に分散型レジスタのデータコンテンツの少なくとも一部を含むことができる。例えば、ピアツーピア・アプリケーションに書かれた情報の肯定的な検証後に、この情報は、全てのコンピュータによって、少なくともコンピュータの一部によって、保存されることが提供されることができる。これにより、ピアツーピア・アプリケーションに格納されたデータの耐改ざん性が更に向上されることができる。
【００５０】
更なる実施形態では、ピアツーピア・ネットワークは、複数のコンピュータノードによって形成され、制御システムのピアツーピア・モジュールは、複数のコンピュータノードと通信するようにのみ構成される。換言すれば、ピアツーピア・モジュールは、ピアツーピア・ネットワークのコンピュータノードではない。このようなピアツーピア・モジュールは、ピアツーピア・アプリケーション（それ自体）を備えず、アプリケーション・プログラミング・インタフェース（ＡＰＩ）などのインタフェース・モジュール及びピアツーピア・ネットワークのコンピュータノード又はブロックチェーンなどのピアツーピア・アプリケーションと通信する分散型アプリケーションを提供するのみである。これは、ピアツーピア・モジュールの必要な処理能力を低減することを可能にする。
【００５１】
代替の実施形態では、ピアツーピア・ネットワークは複数のコンピュータノードによって形成され、ピアツーピア・モジュールはコンピュータノードの１つである。この場合、ピアツーピア・モジュールは、ピアツーピア・アプリケーションの少なくとも一部を備える。例えば、ピアツーピア・モジュールは、いわゆる軽量ノードとすることができる。具体的には、ピアツーピア・モジュールは、好ましくは、ピアツーピア・アプリケーションの全データ内容を備えることができる。
【００５２】
改ざん防止方法で新しい情報を格納するために、ピアツーピア・アプリケーションは、暗号化手段及び／又は署名手段及び／又は検証手段を備えることができ、暗号化手段及び／又は署名手段及び／又は検証手段のうちの少なくとも１つは、少なくとも提供された量パラメータを格納するように構成される。上述の手段のうちの少なくとも１つの手段は、少なくとも全ての提供された量パラメータを格納するように適合されることができる。具体的には、ハッシュ関数により、リンクが、分散型レジスタにおいて少なくとも１つの以前に格納された情報との間に確立されることが提供されることができる。代替的に、ハッシュ関数によって、リンクが、惑星間ファイルシステム（ＩＰＦＳ）などの少なくとも１つの分散型ファイルシステムとの間に確立されることが提供されることができる。エンティティの要求メッセージ、通常のデータ、文脈的データ及び／又は取引データなどの更なるデータは格納されることができる。
【００５３】
ピアツーピア・アプリケーションのデータは、「分散型台帳技術」又はインターネットを介してアクセス可能な分散型台帳によって誘導された（暗号化された）データの記憶装置のいずれかに格納され、好ましくは惑星間ファイルシステム（ＩＰＦＳ）などの分散型又はＰ２Ｐデータ記憶装置エンティティに格納されることができる。この解決策は、ユーザ又はサービスの定義されたグループ間でデータを共有することを可能にすることができる。例えば、データは、エンティティを超えた最適化処理（すなわち、１つのバッテリーを共有する多くの人々又は負荷シフトによるエネルギーの柔軟性の物理的最適化）のために、ゲーミフィケーション（gamification）のために、これらのデータを使用できる需要の分解などの付加的なサービスのために、共有されることができる。データは、ピアツーピア・データ記憶装置（例えば、カレンダー）内の他の文脈データと容易にメッシュ化されることもできる。ピアツーピア・ファイル記憶装置は、ピアツーピア・モジュールに対してソフトウェア更新を展開するために使用されることもできる。データアクセスはユーザによって十分に制御されることができる。
【００５４】
ピアツーピア・アプリケーションは、有向非巡回グラフ（ＤＡＧ）によって形成されることができる。ＩＯＴＡ又はＴａｎｇｌｅなどの有向非巡回グラフは、ブロック（又はグラフのノード）が有向エッジを介して互いに結合されることを意味する。これにより、有向は、エッジが（常に）時間と同様の（同じ）方向を有することを意味する。言い換えれば、元に戻すことはできない。最終的に、非巡回はループが存在しないことを意味する。
【００５５】
制御システムの特に好ましい実施形態では、ピアツーピア・アプリケーションは、少なくとも２つの相互接続されたブロックを備えるブロックチェーンとすることができる。ブロックチェーン技術又は分散型台帳技術は、すでにビットコインなどの暗号通貨を使用した支払いに使用されている。ブロックチェーンはＤＡＧの特定のタイプである。ブロックチェーンの特定の構成によって、少なくとも、生成された供給媒体取引契約の正確さが、中央サーバを必要とせずにチェックされることができることが認識されている。更に、ブロックチェーンは、改ざん防止方法で供給媒体提供メッセージを提供するように使用されることができる。本実施形態によるブロックチェーンは、具体的には、測定された全ての供給媒体パラメータ及び好ましくは全ての供給媒体取引契約並びにピアツーピア・モジュールによって送信された他のメッセージが記録されることができる分散型ピアツーピア・ベースのレジスタである。ブロックチェーンは、中央エンティティを簡単且つ安全な方法で置き換える技術的手段として特に適している。
【００５６】
更なる実施形態によれば、データを格納するように構成される少なくとも１つのピアツーピア・ファイル記憶装置が提供されることができる。前述したように、少なくとも１つのピアツーピア・ファイル記憶装置はＩＦＰＳとすることができる。好ましくは、それぞれのエンティティの２つ以上のピアツーピア・モジュールは、ピアツーピア・アプリケーション、具体的にはピアツーピア・アプリケーションのスマートコントラクトを使用して、ＩＦＰＳにデータを送信するか又はＩＦＰＳにデータを書き込むことができる。ピアツーピア・アプリケーションは、マルチ署名アカウントを有する一般的に使用可能なスマートコントラクトを実行することができる。このスマートコントラクトは、格納されたデータに基づいて複数のエンティティに対して最適化処理を実行することができる。結果は、予測モジュール又は制御モジュールに提供されることができる。
【００５７】
本発明の別の態様は、前述の制御システムを備えるホームオートメーション・コントローラである。好ましくは、予測モジュール、ピアツーピア・モジュール、及び制御モジュールは、スマートホーム・コントローラなどのホームオートメーション・コントローラに実装されることができる。少なくとも１つの供給媒体ユニットは、ホームオートメーション・コントローラによって制御可能とすることができる。
【００５８】
本発明の更なる態様は供給システムである。供給システムは、少なくとも１つの物理的供給チャネルネットワークに接続可能な第１のエンティティを備える。供給システムは、物理的供給チャネルネットワークに接続可能な少なくとも１つの更なるエンティティを備える。供給システムは、少なくとも１つのピアツーピア・アプリケーションを提供するように構成される少なくとも１つのピアツーピア・ネットワークを備える。エンティティのうちの少なくとも１つは前述の制御システムを備える。少なくとも１つの他のエンティティは、ピアツーピア・ネットワークに接続可能な少なくとも１つのピアツーピア・モジュールを備える。
【００５９】
好ましくは、少なくとも第１のエンティティ及び更なるエンティティは、各々、少なくとも、物理的供給チャネルネットワークに適切な接続を介して接続されるとすることができる。接続は物理的供給チャネルネットワークに対応し、例えば、電気ライン又は流体接続とすることができる。供給システムは３つ以上のエンティティを備えることができることが理解されるべきである。この場合の供給ネットワークは、少なくとも１つのエンティティが供給媒体を生成し、好ましくはそれを物理的供給チャネルネットワークに属するラインに供給することができ、且つ少なくとも１つのエンティティが、物理的供給チャネルネットワーク内のラインから受け取り、好ましくはそれを消費することができる供給システムを意味すると特に理解されるべきである。この種の供給ネットワークでは、供給される量及び除去される量が互いに均衡することが望ましい。具体的には、この場合における供給チャネルネットワークは、それが限定された容量を有することを特徴とする。
【００６０】
本発明の更に別の態様は、制御システム、具体的には前述の制御システムを動作させる方法である。この方法は、
−  第１のエンティティの少なくとも１つの供給媒体ユニットの少なくとも１つの供給媒体計画を作成するステップであって、
−  少なくとも１つの供給媒体ユニットは供給媒体消費体及び／又は供給媒体生成体及び／又は供給媒体貯蔵装置であり、
−  少なくとも１つの供給媒体ユニットは少なくとも１つの物理的供給チャネルネットワークに接続可能である、ステップと、
−  少なくとも１つのピアツーピア・ネットワークの少なくとも１つのピアツーピア・アプリケーションと通信することによって、少なくとも１つの更なるエンティティの少なくとも１つの供給媒体提供メッセージを受信するステップと、
−  少なくとも供給媒体計画及び少なくとも１つの供給媒体提供メッセージに基づいて、ピアツーピア・アプリケーションを使用して第１のエンティティと更なるエンティティとの間の供給媒体の物理的交換に関する供給媒体取引契約の生成を引き起こすステップと、
−  生成された供給媒体取引契約に応じて、少なくとも１つの供給媒体ユニットを制御するステップと、
を備える。
【００６１】
この方法は、プロセッサに上記のような制御システムを動作させる命令を備えるコンピュータプログラムとすることができる。
【００６２】
この場合、実施形態によれば、ピアツーピア・モジュールは、ブロックチェーンなどのピアツーピア・アプリケーションと通信するように構成されるＡＰＩを少なくとも備えることが留意される。ＡＰＩに加えて、ピアツーピア・モジュールは、測定された量パラメータを作成し、ＡＰＩを介してピアツーピア・アプリケーションに送信するように少なくとも構成されるローカルアルゴリズムを備えるソフトウェアの分散型アプリケーションを備える。分散型アプリケーションは計量データを処理し送信するように少なくとも構成される。
【００６３】
好ましくは、データは、暗号的に安全なトンネルを介して、ブロックチェーンなどのピアツーピア・アプリケーションを実行するピアツーピア・ノードに送信されることができる。別の特定の実施形態では、ピアツーピア・アプリケーション自体もピアツーピア・モジュールに実装される。すなわち、ピアツーピア・モジュールは、分散型アプリケーション、ＡＰＩ、及びブロックチェーンや分散型台帳などのピアツーピア・アプリケーションを備えるピアツーピア・ネットワークのノードである。
【００６４】
また、少なくとも２つのエンティティは主エンティティ内のサブエンティティとすることができることが留意される。例えば、エンティティであるマシン及び前記エンティティである生成体が提供されることができる。この場合、物理的供給チャネルネットワークは少なくとも１つの内部供給チャネルによって形成されることができる。
【００６５】
方法、システム又はネットワーク、デバイス、及びコンピュータプログラムの特徴は、互いに自由に組み合わされることができる。具体的には、明細書及び／又は従属請求項の特徴は、従属請求項の特徴が完全に又は部分的に回避される場合であっても、分離して独立に発明的であるか又は互いに自由に組み合わせ可能であり得る。
【００６６】
本特許出願のこれら及び他の態様は、以下の図面から明らかとなり、且つ以下の図面を参照して明瞭にされるであろう。本出願の特徴及び上に示された本出願の例示的な実施形態の特徴はまた、全ての可能な互いの組み合わせで開示されているものと理解される。
【図面の簡単な説明】
【００６７】
以下が図に示される。
【００６８】
【図１】先行技術による供給システムの例示的な実施形態の概略図である。
【図２】本発明による供給システムの例示的な実施形態の概略図である。
【図３】本発明による制御システムの例示的な実施形態の概略図である。
【図４】本発明によるピアツーピア・アプリケーションの実施形態の概略図である。
【図５】本発明による供給システムの実施形態の概略図である。
【図６】本発明による供給システムの更なる実施形態の概略図である。
【図７】本発明による方法の実施形態の図である。
【図８】本発明による方法の更なる実施形態の図である。
【発明を実施するための形態】
【００６９】
様々な図における同様の参照符号は同様の要素を示す。
【００７０】
図２は本発明による供給システム２００の例示的な実施形態の概略図を示す。図示の供給システム２００は本発明による制御システム２２０の実施形態を備える。供給媒体ユニット２１０．１、２１０．２は制御システムの一部とすることができることが理解されるべきである。
【００７１】
供給システム２００は、給電ネットワーク、ガス供給ネットワーク、給水ネットワーク、又は地域暖房ネットワークとすることができる。
【００７２】
本システム２００は、一例として、第１のエンティティ２０４及び更なるエンティティ２０６を備える。３つ以上のエンティティ２０４、２０６が提供されることができることが理解されるべきである。エンティティ２０４、２０６は、建物、家、プラント又は機械、電子ユニットなどとすることができる。例えば、エンティティは、電子ユニットなどの少なくとも１つの供給媒体ユニットを制御するように構成される制御システムが設けられている供給媒体ユニットである可能性がある。
【００７３】
更に、図２から分かるように、各エンティティ２０４、２０６は、エンティティ２０４、２０６、具体的にはそれぞれの供給媒体ユニット２１０．１、２１０．２、を供給チャネルネットワーク２０２に接続するように構成される少なくとも１つの接続２０８を備える。接続２０８は、例えば、スイッチ、弁などによって切断可能とすることができる。供給媒体ユニット２１０．１、２１０．２は内部供給媒体ネットワーク２３０を介して接続２０８に接続されることができる。
【００７４】
供給媒体ユニット２１０．１、２１０．２は、供給媒体消費体、供給媒体生成体、又は供給媒体貯蔵装置とすることができる。供給媒体消費体は、その動作中に供給媒体を消費するユニットである。供給媒体生成体は、その動作中に供給媒体を生成又は提供するユニットである。例示された給電システムとして、電気消費体の例は、冷蔵庫、照明システム、テレビ、コンピュータ、洗濯機、厨房器具などとすることができる。電気生成体の例は、光起電力デバイス、マイクロ風力タービン、ＣＨＰ（熱電併給）などとすることができる。蓄電ユニットの例はバッテリーとすることができる。
【００７５】
供給チャネルネットワーク２０２のタイプは供給システム２００のタイプに依存する。ガス供給ネットワーク２００において、ネットワーク２０２は、例えば、ガス用のパイプラインネットワーク２０２とすることができる。それに応じて適切な接続２０８が、電気ネットワーク、地域暖房ネットワークの水ネットワーク用に設けられることができる。エンティティ２０４、２０６は、２つ以上の供給システム２００の一部とすることができることが理解されるべきである。
【００７６】
図１によるシステム１００などの従来技術のシステムと比較して実質的な差異は、中央インスタンスが提供されていないことである。この場合、システム２００は、ピアツーピア・ネットワーク２２２又はコンピュータ−コンピュータ・ネットワーク２２２を有する。ピアツーピア・ネットワーク２２２は、複数のノード２２５．１〜２２５．３又はコンピュータ２２５．１〜２２５．３を備える。ピアツーピア・ネットワーク２２２は、この場合には、各ノード及び／又は参加体が、好ましくは、全ての他のノード及び／又は参加体に接続されることを特徴とする。更に、コンピュータは同等の権利を有し、そのことがコンピュータをサーバ−クライアント構造から区別する。
【００７７】
図示の３つのノード２２５．１〜２２５．３、例えばコンピュータ２２５．１〜２２５．３、は、（それぞれ）ピアツーピア・アプリケーション２２４を備える。分かるように、同じピアツーピア・アプリケーション２２４が各ノード２２５．１〜２２５．３上に実装される。ピアツーピア・アプリケーション２２４は、具体的には、ピアツーピア・ネットワーク２２２の全ての（ノードだけでなく）参加体によって検査されることができる公共及び／又は分散型レジスタ２２４とすることができることが好ましい。各ノード２２６．１〜２２６．３は、好ましくは（全）公共レジスタ２２４を有する。レジスタの一部のみがノード上に提供されることも考えられる可能性がある。特に好ましい実施形態では、ピアツーピア・アプリケーション２２４はブロックチェーン２２４とすることができる。
【００７８】
分散型レジスタは、民間、コンソーシアム、又は公共ブロックチェーンとすることができることが理解されるべきである。言い換えれば、それは認可ブロックチェーン又は無認可ブロックチェーンとすることができる。
【００７９】
ピアツーピア・ネットワーク又はブロックチェーンの実装では、たった１つの検証ピア又は完全ノード及び信頼レベルを確立するために取引を検証することができるが全ての取引の検証は行わない１つ又は複数の観察ノードが存在する可能性があり、全ての取引の検証は検証ピア（例えば、オープンチェーン）によって行われる。
【００８０】
更に、第１のエンティティ２０４は制御システム２２０を備える。この例では、制御システム２２０は３つのモジュール２１９．１、２２６、及び２２８を備える。具体的には、制御システム２２０は予測モジュール２２６を備える。予測モジュール２２６は、少なくとも１つの供給媒体ユニット２１０．１、２１０．２に対して少なくとも１つの供給媒体計画を作成するように構成されることができる。一例として、供給媒体ユニット２１０．１、２１０．２の履歴供給媒体データに基づいて、予測モジュール２２６は、将来の期間の供給媒体ユニット２１０．１、２１０．２のグループ用に（単一の）グループ供給媒体計画を作成することができる。詳細な説明が後に続くであろう。予測モジュールは、エンティティ２０４のモジュールとすることができ、且つ／又はエンティティから少なくとも部分的に離れて配置することもできることが留意される。例えば、予測モジュールはクラウドによって形成されることができる。
【００８１】
更に、制御システム２２０は供給媒体ユニット２１０．１、２１０．２を制御する制御モジュール２２８を備える。制御モジュール２２８は、少なくとも、供給媒体ユニット２１０．１、２１０．２を作動及び停止させるように構成されることができる。制御モジュール２２８はそれぞれの制御信号を生成することができる。
【００８２】
更に、この場合、各エンティティ２０４、２０６はピアツーピア・モジュール２１９．１、２１９．２を有することが分かる。ピアツーピア・モジュール２１９．１、２１９．２は、少なくともピアツーピア・ネットワーク２２２、すなわちノード２２５．１〜２２５．３、と通信するように構成される。言い換えれば、ピアツーピア・モジュール２１９、１、２１９．２又はこのピアツーピア・モジュール２１９．１、２１９．２に対応するエンティティ２０４、２０６は、少なくともピアツーピア・ネットワーク２２２の参加体である。この場合、ピアツーピア・ネットワーク２２２の全ての参加体は、好ましくはピアツーピア・ネットワーク２２２の各参加体に知られている。
【００８３】
この場合、更なるピアツーピア・モジュール２１９．２は、ピアツーピア・ネットワーク２２２内のノード又はコンピュータである。従って、ピアツーピア・モジュール２１９．２も同様に、ピアツーピア・アプリケーション２２４を備える。ピアツーピア・モジュール２１９．１は、ピアツーピア・アプリケーション２２４と通信するために、分散型アプリケーション及びＡＰＩを備える（のみである）。
【００８４】
ピアツーピア・モジュール２１９．１は、ピアツーピア・アプリケーション２２４に格納された供給媒体提供メッセージを、それぞれ受信し、且つ読み取るように構成される。更に、ピアツーピア・モジュール２１９．１は、作成されたグループ供給媒体計画及び読み出された供給媒体提供メッセージに基づいて、供給媒体取引契約の生成を引き起こすように構成される。
【００８５】
この場合、エンティティ２０４、２０６の間の供給媒体の交換に関する供給媒体取引契約は、改ざん防止方法でピアツーピア・アプリケーション２２４を使用して生成されることができる。この目的のために、各ピアツーピア・モジュール２１９．１、２１９．２は、供給媒体取引契約の生成を引き起こすために、ピアツーピア・アプリケーション２２４と通信することができる。次いで、電流もしくは電力、淡水もしくは廃水などの水、天然ガスもしくは類似の（可燃性）ガスなどのガス媒体、例えば熱気の形態での温熱、及び／又は、例えば冷気の形態での冷熱などの供給媒体は、生成された契約に従って移動されることができる。
【００８６】
更に、生成された契約に従って、制御モジュール２２８は供給媒体ユニット２１０．１、２１０．２を制御することができる。一例として、生成された契約に基づいて、制御データを備える供給媒体制御計画が生成されることができる。次いで、制御モジュール２２８は、供給媒体ユニット２１０．１、２１０．２を制御するためにこの制御データを使用することができる。
【００８７】
以下の例示的な実施形態は、電力ネットワークの形態での供給システムの改良された実証に関する。しかしながら、本発明はこれに限定されない。具体的には、以下の実施形態は、ガス供給ネットワーク、給水ネットワーク、又は地域暖房ネットワークなどの他の供給システム又はネットワークに変えることができる。
【００８８】
図３は、本発明の制御システム３２０の更なる実施形態を備える本発明による供給システム３００の更なる実施形態を示す。
【００８９】
この実施例では、エンティティ３０４は、建物３０４又は家３０４とすることができる。エンティティ３０４は接続３０８を介して供給チャネルネットワーク３０２に接続されることができる。供給チャネルネットワーク３０２は電気エネルギーライン、変圧器などを備える電流ネットワーク３０２とすることができる。
【００９０】
更に、この例示的な実施形態では、エンティティ３０４の内部電力回路３３０又は内部幹線３３０は、接続３０８を介して公共又は民間電気ネットワーク３０２に接続される。更に、図示のエンティティ３０４は、複数の電気供給媒体ユニット３１０．１〜３１４を備える。一例として、洗濯機３１０．３、レンジ３１０．４、ランプ３１０．１、及び冷蔵庫３１０．２が設けられている。ホームオートメーション・コントローラ３２０の形態での制御システム３２０及び電気消費体３１０．１、３１０．２、３１０．４は、内部電力回路３３０に直接接続される。冷蔵庫３１０．２は、中間コネクタデバイス３１１を介して内部電力回路３３０に接続される。
【００９１】
中間コネクタデバイス３１１は、例えば、内部電力回路３３０のソケットに挿入される。内部電力回路３３０は、中間コネクタデバイス３１１が冷蔵庫３１０．２の電源に中間で接続可能であるように、冷蔵庫３１０．２のプラグを収容するソケットを含むことができる。
【００９２】
内部電力回路３３０は、少なくとも１つの計量モジュール３３２を介して給電チャネルネットワーク３０２に接続される。また、エンティティ３０４には、計量モジュール３３２を介して内部電力回路３３０及び供給チャネルネットワーク３０２に接続される光起電力デバイス３１４が配置される。光起電力デバイス３１４によって生産又は生成される電力は、電気消費体３１０．１〜３１０．４によって消費可能である。更に、生成された電力は供給チャネルネットワーク３０２に供給されることができる。別の実施形態では、生成された電力は、バッテリー３１３及び／又は別の（不図示の）貯蔵装置に保存されることができる。１つの実施形態では、貯蔵装置は、熱水などを貯蔵する水タンクとすることができる。
【００９３】
電気消費体３１０．１〜３１０．４は、無線ネットワーク３２９のそれぞれの無線リンクを介してホームオートメーション・コントローラ３２０に接続される。電気消費体３１０．１〜３１０．４は、少なくとも、ホームオートメーション・コントローラ３２０又はリードコントローラによってオン／オフされることができる。他の変形例によれば、接続３２９の少なくとも一部は、有線接続とすることができることが理解されるべきである。
【００９４】
更に、電気消費体３１０．１〜３１０．４のホームオートメーション・インターフェースは、現在の電力要求を検出し、検出された電力需要データを無線ネットワーク３２９を介してホームオートメーション・コントローラ３２０に送信することができる。光起電力デバイス３１４は、無線リンク３２９を介してホームオートメーション・コントローラ３２０に、例えば適切なホーム制御インタフェースで、接続される。例えば、ホームオートメーション・コントローラ３２０は、光起電力デバイス３１４によって生成された電力が内部電力回路３３０に少なくとも部分的に提供されるかどうか、電力が少なくとも部分的にバッテリー３１３を充電するために使用されるかどうか、電力が少なくとも部分的に給電チャネルネットワーク３０２に供給されるかどうか、を制御することができる。更に、ホームオートメーション・コントローラ３２０は、バッテリー３１３内に貯蔵されているエネルギーが、例えば内部電力回路３３０に供給されるかどうかを制御することができる。更に、光起電力デバイス３１４は、光起電力デバイス３１４によって供給される電力を検出し、収集した電力データを無線ネットワーク３２９を介してホームオートメーション・コントローラ３２０に送信することができる。
【００９５】
メータ３３２は、無線リンク３２９を介してホームオートメーション・コントローラ３２０に接続される。メータ３３２は、単位時間当たりに接続３０８を介して送られる電力を測定することができる。電気消費体３１０．１〜３１０．４の実際の電力需要及び光起電力デバイス３１４から供給される電力が測定されることができる。測定されたデータは収集され、無線リンク３２９を介してホームオートメーション・コントローラ３２０に送信されることができる。
【００９６】
図示されたホームオートメーション・コントローラ３２０は、ピアツーピア・モジュール３１９、予測モジュール３２６、制御モジュール３２８、監視ユニット３３６、適合ユニット３３４、及びデータベース３３８を備える。データベース３３８などのモジュールのうちの少なくとも幾つかは、ホームオートメーション・コントローラ３２０に接続される別個のデバイスとすることができる。
【００９７】
データベース３３８は、ＩＰＦＳなどのピアツーピア・ファイルシステムとすることができることを理解されるべきである。
【００９８】
ピアツーピア・ファイルシステムに格納されたデータは、マルチ署名アカウントを介して、ユーザ又はサービスの規定のグループにアクセス可能にすることができる。この解決策は、単一のエンティティを超えるサービス及び最適化を可能にする。例えば、そのような実装は、人々又はサービスの規定のグループ間でデータを共有することを可能にするであろう。データアクセスはユーザによって完全に制御されることができる。ＩＰＦＳを使用して、データは、エンティティを超えた最適化処理（すなわち、１つのバッテリーを共有する多くの人々又は負荷シフトによるエネルギー柔軟性の物理的最適化）、ゲーミフィケーション、及び／又はこれらのデータを使用することができる需要分解などの付加的なサービスのために、使用されることができる。データは、ピアツーピア・データ記憶装置（例えば、カレンダー）内の他の文脈データと容易にメッシュ化することもできる。ピアツーピア・ファイル記憶装置は、ピアツーピア・モジュールに対してソフトウェア更新を展開するために使用されることもできる。
【００９９】
更に、ホームオートメーション・コントローラ３２０は少なくとも１つの更なるインタフェース３４０を備える。少なくとも１つの更なるインタフェース３４０は、ユーザインタフェース（例えば、スマートフォン又は家庭内可視化デバイス）及び／又はインターネットなどのネットワークへのネットワークインタフェースとすることができる。例えば、気象データ源などのような外部データ源からのデータは、更なるインタフェース３４０を介してホームオートメーション・コントローラ３２０によって受信されることができる。
【０１００】
前述したように、ピアツーピア・モジュール３１９は、ピアツーピア・アプリケーション（図示せず）を提供するピアツーピア・ネットワーク３２２と通信するように構成される。
【０１０１】
データベース３３８は、具体的には、供給媒体ユニット３１０．１〜３１２によって検出され、それから送られた電力データを格納するように構成されることができる。予測モジュール３２６は、データベース３３８に格納されている履歴電力データに基づいて、（初期）個別及び／又はグループ供給媒体計画を作成することができる。
【０１０２】
適合モジュール３３４は（初期）個別及び／又はグループ供給媒体計画を適合させる、具体的には最適化する、ように構成される。更に、ピアツーピア・モジュール３１９を使用して、ピアツーピア・アプリケーションに格納されている供給媒体提供メッセージに関する情報が適合モジュール３３４に提供される。この情報に基づいて、少なくとも１つの供給媒体計画は、適合モジュール３３４によって適合されることができる。好ましくは、供給媒体計画は、柔軟な供給媒体ユニットの、計画されているが柔軟な動作パラメータを変更することによって適合されることができる。一例として、洗濯機３１０．３は柔軟な電気消費体３１０．３である。例えば、柔軟な動作パラメータは、（例えば、所定の最小及び最大制限時間の間の）洗濯サイクルの作動時間である。また、冷蔵庫３１０．２は柔軟な消費体３１０．２である。例えば、最低限の冷却温度を維持するために、冷蔵庫３１０．２は所定の時間枠又は時間帯内で作動させられることができる。この動作パラメータ、すなわち作動開始時間、は、特定の制限内で柔軟性があるとすることができる。更に、消費体のうちの少なくとも１つが要求される電力に関して柔軟性があることが可能である可能性がある。例えば、電力を低減するために、洗濯機は節約洗濯サイクル（例えば、６０℃ではなく３０℃）で動作させられることができる。また、レンジ３１０．４は低電力で動作させられることができる。
【０１０３】
例えばインタフェース３４０を介して、これらの柔軟性、供給媒体提供メッセージの情報、及び例えばユーザ仕様入力に基づいて、少なくとも１つの供給媒体計画は、適合モジュール３３４によって適合させられることができる。適合又は最適化処理は反復処理とすることができる。
【０１０４】
ピアツーピア・モジュール３１９は、少なくとも１つの適合された供給媒体計画に少なくとも基づいて、供給媒体取引契約の生成を引き起こすことができる。その結果、制御モジュール３２８は、生成された契約に基づいて（制御可能な）供給媒体ユニット３１０．１〜３１４を制御することができる。
【０１０５】
更に、監視モジュール３３６は、計量モジュール３３２によって測定及び提供された電力データを、供給媒体取引契約の合意された電力データと比較するように構成されることができる。監視モジュール３３６が逸脱を検出する場合、監視モジュール３３６は制御モジュール３２８に適宜に通知することができる。逸脱は、例えば、全ての供給媒体ユニットが制御モジュール３２８によって制御可能ではない場合に起きる可能性がある。検出された逸脱に応じて、制御モジュール３２８は、逸脱が少なくとも低減されるように、供給媒体ユニット３１０．１〜３１２のうちの少なくとも１つを制御することができる。
【０１０６】
更に、有利な実施形態では、天気予報及び／又は市場データなどのデータは、ピアツーピア・アプリケーションからのいわゆるフィード（又はいわゆるスマートオラクル（oracle））によって各ピアに利用可能にさせることができる。例えば、参加体は、１つ又は複数の気象データ供給体に合意している可能性がある。この場合、少なくとも１つの気象データ源は、気象予測データをピアツーピア・アプリケーションに送信することができる。気象源は、ピアの少なくとも一部によって検証されている可能性がある。次いで、同じ気象データが、好ましくは、ピアツーピア・アプリケーションを使用して各ピアに利用可能にされる。エンティティの供給媒体計画は他の気象データに基づいて作成されることができることが理解されるべきである。
【０１０７】
ホームオートメーション・コントローラは、データを処理し、適切な信号を生成するための適切な手段（例えば、プロセッサ、マイクロプロセッサ、メモリ手段など）を備えることが理解されるべきである。
【０１０８】
図４は、本発明によるピアツーピア・アプリケーション４２４の例示的な実施形態の概略図を示す。ピアツーピア・アプリケーション４２４は、具体的には、ピアツーピア・ネットワーク４２４の参加体によって検査／可視化されることができるレジスタである。メッセージは、レジスタに書き込まれる及び／又はピアツーピア・ネットワークのピアツーピア・モジュールによって読み出されることができる。好ましい例示的実施形態では、ピアツーピア・アプリケーション４２４はブロックチェーン４２４とすることができる。
【０１０９】
以下のこの例示的な実施形態のより詳細な説明では、ピアツーピア・アプリケーション４２４はブロックチェーン４２４であると仮定される。しかしながら、以下の実施形態は、他のピアツーピア・アプリケーションに容易に変えられることができる。
【０１１０】
ブロックチェーン４２４は、少なくとも１つのブロック４４６〜４５０、好ましくは互いに接続される複数のブロック４４６〜４５０から形成される。第１のブロック４４６は起源ブロック４４６とも呼ばれることができる。分かるように、ブロック４４８、４５０（第１のブロックを除く）は、いずれの場合にも先行するブロック４４６、４４８に関連している。新しいブロックは、計算集約型処理によって（例えば、マイニング又は対応する処理によって）作成され、且つ、具体的には、ピアツーピア・ネットワーク内の全ての参加体に提供されることができる。
【０１１１】
このブロックチェーン４２４は、具体的には、例えば制御システムのピアツーピア・モジュールからメッセージを受信するように構成され、ピアツーピア・モジュールは少なくともピアツーピア・ネットワークの参加体である。ブロックチェーン４２４はこれらのメッセージをブロックチェーン４２４に格納するように構成される。具体的には、ブロックチェーン４２４の現在のブロック４５０内の新しいメッセージは保存され、公開されることができる。公共レジスタ４２４としてのブロックチェーン４２４の構成により、ピアツーピア・モジュールのメッセージは、好ましくは、ピアツーピア・ネットワークの全ての参加体によって読み取られることができる。
【０１１２】
このブロックチェーン４２４では、例えば、様々な種類のメッセージ／データは、スマートコントラクト内で処理及び／又は格納（アルゴリズム及び／又はブロックチェーン上で格納）されることができる。メッセージ４５２は、例えば、照会メッセージ４５２又は供給媒体提供メッセージ４５２とすることができる。供給媒体提供メッセージ４５２は以下の情報パラメータを備えることができることを特徴とする。
数量仕様（供給媒体量）：  エンティティによって要望されるか又は利用可能にされる供給媒体の量
時間指標（期間）：  要望の供給媒体量が要望されるか又は提供される将来の期間
取引基準：  指定された量及び期間に関する供給媒体取引契約を履行するために他のエンティティによって満たされる必要がある基準
【０１１３】
他の取引基準が定義されることができることが理解されるべきである。更に、供給媒体提供メッセージ４５２はより多くの情報を備えることができる。より多くの情報は、例えば、タイムスタンプ、メッセージの送信体の署名、取引のメッセージＩＤ、及び所望の生成又は消費のタイプの指示、エンティティへの距離などのような他の取引基準とすることができる。
【０１１４】
別のメッセージ４５４は受諾メッセージ４５４とすることができる。受諾メッセージ４５４は、供給媒体提供メッセージ４５２と比較して、同じ又は少なくとも類似のデータ詳細を備えることができる。更に、受諾メッセージ４５４は、供給媒体提供メッセージ４５４のＩＤなどの前の要求への参照指標を備えることができる。例えば、特定の所望量の供給媒体が取引基準に従って将来の期間に配送されることができるということが、供給媒体提供メッセージ４５２に関連して受諾メッセージ４５４に列挙されることができる。量は、要求された数量の部分量とすることができる。指定された時間はまた、一部の時間又は部分時間とすることができる。また、より低い／より高い取引基準が与えられることができる。
【０１１５】
受諾メッセージ４５４が要求された量の部分量、一部の時間指標、及び／又はより低い、より高い、又は他の取引基準のみを含む場合、受諾メッセージ４５４は、逆提供メッセージ４５４と呼ばれることができる。これは、受諾メッセージを通じて供給媒体提供メッセージ４５２を提供したエンティティによって受け入れられることができる。これに基づいて、エンティティ、例えばピアツーピア・モジュール、は、供給媒体取引契約の生成を引き起こすことができる。
【０１１６】
具体的には、複数の要求メッセージ及び／又は受諾メッセージ及び／又は特定の期間の供給媒体の配送／消費量パラメータを備えるメッセージが存在することができる。各エンティティは、それに従って少なくとも１つの供給媒体取引契約が生成されることができるガイドラインを与えることができる。好ましくは反復などの自動化された処理において、各要求メッセージは、最適に対応する受諾メッセージに関連付けられることができる。ブロックチェーン４２４はまた、少なくとも１つのピアツーピア・モジュールのメッセージに基づいて、供給媒体取引契約４５６を生成するように構成されることができる。
【０１１７】
供給媒体取引契約４５６は、ブロック４４８内のスマートコントラクト４５６内に格納されることができる。スマートコントラクトはコンピュータプログラムコードを備えることができる。供給媒体取引契約において、所与の期間に対する供給媒体の所与の量の交換及び供給又は受領並びに／あるいは所与の価格などの取引基準は、第１のエンティティと更なるエンティティとの間で合意されている可能性がある。例えば、第１のエンティティは、第１のエンティティが更なるエンティティに時間Ｔｘの間、電気ネットワークを介して電力（ＸｋＷ／ｈ）の所与の量を有する量Ｘを供給するという更なるエンティティとの契約の生成を、ブロックチェーンを使用して、引き起こすことができる。対応する供給媒体取引契約は他の供給システムにおいて生成されることができる。
【０１１８】
更に、供給媒体取引契約の履行後に事前に合意された量の暗号通貨の取引などの取引基準取引４５８は、ブロック４５０に格納されることができる。この目的のために、エンティティの対応する計量データ４６０は格納されることができる。例えば、時間Ｔｘの間、関与するエンティティのメータは、電力フローを測定し、期間Ｔｘの電力の実際に交換された量Ｘをブロックチェーン４２４に送信し、ブロックチェーン４２４は、メッセージ４６０、例えばＸｋＷ／Ｔｘｈ（及び取引ＩＤ、エンティティＩＤなどのような追加データ）を保存する。好ましくは、関与するエンティティの各々は、それらの関連するメータを介してブロックチェーンにそれぞれのデータを送信する。ブロックチェーン４２４に格納されている計量データは、次いで、ピアツーピア・ネットワーク、具体的にはピアツーピア・ネットワークの参加体、によってチェックされ、検証されることができる。計量データの肯定的な検証の後、合意された取引基準取引４５８が生成され、ブロックチェーン４２４を使用して実行されることができる。例えば、暗号通貨の合意された量が移動されることができる。また、これは、ピアツーピア・ネットワーク、具体的にはピアツーピア・ネットワークの参加体、によって検証されることができる。
【０１１９】
具体的には、ピアツーピア・アプリケーション４２４はメッセージ４５２〜４６０を改ざん防止方法で保存するように構成される。これは、全ピアツーピア・ネットワークを通して、例えば、供給媒体取引契約が全ピアツーピア・ネットワークの累積計算力によって検証されることができるという事実によって本質的に行われる。
【０１２０】
好ましくは、供給媒体取引契約及び計量データメッセージなどの少なくとも上述のメッセージは、マークル木によってブロックチェーンのブロックにおいて対で一緒にハッシュされることができる。具体的には、最後のハッシュ値、いわゆるルートハッシュ、のみがブロックのヘッダにチェックサムとして書き留められる。その後、ブロックは先行するブロックと結合されることができる。ブロックの連鎖はこのルートハッシュを使用して実行されることができる。各ブロックは、先行するブロックヘッダ全部のハッシュをそのヘッダに含めることができる。これは、ブロックの順序を明確に定義することを可能にする。更に、これは、具体的には、全ての後続のブロックのハッシュが短時間で再計算されなければならないであろう故に、先行するブロック及び先行するブロックに格納されているメッセージのその後の修正を防止することもできる。
【０１２１】
図５は、供給システム５００、具体的には給電システム５００、の更なる例示的な実施形態の概略図を示す。大幅に簡略化された形態で示されている供給システム５００は、この場合、７つのエンティティ５０４、５０６、５６４〜５７２を備える。全てのエンティティ５０４、５０６、５６４〜５７２は、少なくとも供給チャネルネットワーク５０２、具体的には電気ネットワーク５０２、に接続されることができる。この例では、各エンティティ５０４、５０６、５６４〜５７２はピアツーピア・モジュールを備えることができる。具体的には、エンティティ５０４、５０６、５６４〜５７２のうちの少なくとも１つは、上述したような制御システムを備える。
【０１２２】
更に分かるように、エンティティ５０４、５０６、５６４〜５７２又はそれぞれのピアツーピア・モジュール（図示せず）は、ピアツーピア・アプリケーション（図示せず）、例えば図４によるブロックチェーン４２４、を提供するピアツーピア・ネットワーク５２２を作成する。
【０１２３】
第１のエンティティ５０４は複数の電気消費体を備える家５０４とすることができる。従って、第１のエンティティ５０４はまた、電気消費体５０４とも呼ばれることができる。従って、第１のエンティティ５０４は、供給媒体に対する需要を有し、対応する供給媒体提供メッセージ及び／又は受諾メッセージを生成し、それらをピアツーピア・ネットワーク５２２に送信することもできる。更なるエンティティ５０６は、同様に、家５０６、具体的には生成消費体５０６、とすることができる。生成消費体５０６として、他のエンティティは、電気ネットワーク５０２に電力を供給することができ、且つ電気ネットワーク５０２から電力を受け取ることもできる。生成消費体は、対応する供給媒体提供メッセージ及び／又は受諾メッセージを生成し、それらをピアツーピア・ネットワーク５２２に送信することができる。
【０１２４】
更なるエンティティ５６４は、風力タービン５６４などの分散型生成体５６４とすることができる。言い換えれば、エンティティ５６４は電気ネットワーク５０２に電力を供給するように構成される。エンティティ５６４は対応するメッセージを生成することができ、後続のエンティティも対応するメッセージを生成することができる。更に、バッテリー５６６などの電気貯蔵装置５６６はエンティティ５６６として存在することができる。貯蔵装置５６６は、具体的には、電気ネットワーク５０２における過剰容量の故に、過剰容量を一時的に貯蔵し、電力に対する需要がある場合にその過剰容量を再び配送するように構成されることができる。更に、エンティティ５６８は、電気作動式機械５６８、例えば、ＩｏＴデバイスなどの（スマート）電気消費体５６８、とすることができる。エンティティ５７０は、例えば、複数の電気消費体及び／又は１つ又は複数の生成体を有するビジネス５７０とすることができる。最後に、更なる家５７２がエンティティ５７２として提供されることができる。
【０１２５】
図６は、システム６００、具体的には給電システム６００、の更なる例示的な実施形態の概略図を示す。図５において一例として示されているものなどの供給システム５００と比較して相違点のみが以下に説明される。エンティティ６０４．１〜６７２．２は、前述のエンティティと同じ、類似の、又は異なるエンティティとすることができることが指摘されるべきである。
【０１２６】
前の例とは異なり、この場合、２つの異なる種類のピア又はノードコンピュータ６０４．１、６６４．１、６６６．１、又は６０６．２、６６８．２、６７０．２、及び６７２．２が示されている。全てのピア６０４．１〜６７２．２はピアツーピア・ネットワーク６２２に含まれる。しかしながら、この例示的な実施形態では、ピア６０４．１〜６７２．２のうちの一部のみ、この場合ではピア６０４．１、６６４．１、６６６．１、が、媒体取引契約などのピアツーピア・アプリケーションに格納されているメッセージの妥当性をチェックする。また、ピアの一部のみが全ピアツーピア・アプリケーションを格納し、且つ／又はピアのうちの一部のみがスマートコントラクトのアルゴリズムを実行することが提供されることができる。検証は相当量の計算作業を伴う可能性があるので、効率的な理由から、ピア６０４．１、６６４．１、６６６．１のうちの一部、具体的には特に強力なピア６０４．１、６６４．１、６６６．１が検証を実行することが有利である可能性がある。「強力な」とは、具体的には高い処理能力を指す。換言すれば、この場合、ピア６０４．１、６６４．１、６６６．１のうちの一部（のみ）が肯定的な結果を達成した場合に、ブロックチェーンなどのピアツーピア・アプリケーションにおけるエントリが有効であると仮定される。単一のピア、具体的には特に強力なピア、が検証を単独で実行することもできることは言うまでもない。
【０１２７】
同様に、特に大きなピアツーピア・ネットワークは２つ以上のクラスタに分割されることができることが、代替の実施形態（図示せず）において提供されることができる。対応するピアツーピア・ネットワークに関して、検証は、例えばクラスタのメンバーによってのみ実行されることができる。
【０１２８】
ピアツーピア・ネットワーク又はブロックチェーンの実装では、たった１つの「検証ピア」又は完全なノード及び信頼レベルを確立するために取引を検証することができるが、全ての取引を検証することはしない１つ又は複数の「観察ノード」が存在することができ、全ての取引の検証は検証ピア（例えば、オープンチェーン）によって行われる。
【０１２９】
図７は、本発明による方法の第１の実施形態の図を示す。第１のステップ７０１において、予測モジュールを使用して、エンティティの少なくとも１つの供給媒体ユニット、好ましくは全ての供給媒体ユニット、用の少なくとも１つの供給媒体計画が作成されることができる。
【０１３０】
供給媒体計画の作成は、履歴データ、ユーザ入力、並びに／又は気象データ、市場データ、個人データ、及びカレンダーデータなどの予測データに基づくとすることができる。例えば、測定された電流パラメータは、制御システムの監視モジュールに通信接続を介して１つ又は複数の電流計によって送信されることができる。これらのデータはデータベースに格納されることができる。例えば、監視モジュールは、受信した電流パラメータをデータベースに格納するように構成されることができる。送信されたパラメータは、具体的にはタイムスタンプが設けられることができる。例えば、測定された消費及び／又は生成体パラメータは、日付及び／又は時間が設けられることができる。このようにして、電力消費／生成のプロファイルは以前の期間にわたって再現されることができる。次いで、少なくとも１つの供給媒体ユニットの少なくとも１つの履歴プロファイルは、少なくとも１つの供給媒体計画を作成するために予測モジュールによって使用されることができる。
【０１３１】
具体的には、供給媒体計画は、翌週、翌日、次の時間などの将来の期間に対して、この履歴データ並びに、好ましくは、気象データなどの追加の予測データ及び／又は不在時間などのユーザデータから用意されることができる。供給媒体計画は、好ましくは、前日に、複数のサブ期間（例えば、１５分間隔、換言すれば９６サブ期間）に分割されることができる翌日用に、それぞれの場合に作成されることができる。
【０１３２】
供給媒体計画に加えて、少なくとも１つの取引基準が各サブ期間用に指定されることができる。例えば、２つ以上の取引基準がサブ期間ごとに指定されることができ、その基準は、最高価格と最低価格などの最大基準と最小基準との間に位置する可能性がある。期間を指定する利点は、少なくとも１つ他のエンティティからの供給媒体提供メッセージに柔軟に且つ同時に最適に反応することが可能であるということである。独立に設定された基準に基づいてのエンティティの観点からの可能な最良の提供は、具体的には、自動的な反復処理で決定及び選択されることができる。好ましい生成体タイプ、エンティティへのローカル近接性なども、例えば取引基準として指定されることができる。
【０１３３】
次のステップ７０２において、制御システムのピアツーピア・モジュールは、好ましくは、ピアツーピア・アプリケーションに格納されている全ての（現在の）供給媒体提供メッセージを受信するか又は読み出すことができる。
【０１３４】
受信された供給媒体提供メッセージ、具体的には供給媒体量、時間指標、及び／又は取引基準などの情報パラメータ、に応じて、供給媒体計画はステップ７０３で適合させられることができる。例えば、価格などの取引基準が特定の期間にわたって高い場合、この期間中にエンティティによって必要とされる電力は、例えば洗濯機などの電気消費体及び／又はＣＨＰなどの自身の生成ユニットの作動時間を移動することによって低減されることができる。更に、例えば、供給媒体チャネルネットワークに供給される電力は、バッテリーの電力を供給媒体チャネルネットワークに供給することによって、増加させられることができる。
【０１３５】
適合された供給媒体計画に基づいて、従って、最初の供給媒体計画及び少なくとも１つの供給媒体提供メッセージに基づいて、ピアツーピア・アプリケーションは、ピアツーピア・アプリケーションを使用してそれぞれの供給媒体契約の生成を引き起こすことができる（ステップ７０４）。例えば、ピアツーピア・モジュールは、別のエンティティの供給媒体提供メッセージへの参照を備える受諾メッセージをピアツーピア・アプリケーションに送信することができる。前述したように、これ（ステップ７０２、７０３）は反復処理とすることができる。
【０１３６】
次のステップ７０５において、制御モジュールは合意された供給媒体計画に基づいて供給媒体ユニットを制御することができる。同時に、合意された供給媒体の量は、物理的供給媒体チャネルネットワークを介して交換されることができる。
【０１３７】
メッセージを検証するために、エンティティの公開鍵及び／又は秘密鍵が使用されることができる。
【０１３８】
これらのステップは、少なくとも部分的に並列に実行されることができることが理解されるべきである。例えば、供給媒体提供メッセージの読み取り及び供給媒体計画の作成は、並列に行われることができる。
【０１３９】
図８は、本発明による方法の更なる例示的な実施形態を示す。具体的には、方法は、供給媒体取引契約に従って供給媒体の交換が既に行われた場合に実装されることができる。
【０１４０】
第１のステップ８０１において、期間Ｔｘの間に受け取られた電力量は、第１のエンティティ、具体的には第１のエンティティのピアツーピア・モジュール、に提供されることができる。電力量は、好ましくは計量モジュールによって測定され、提供されることができる。計量モジュールは、少なくとも期間Ｔｘの間、給電チャネルネットワークから得られた電力（ＸｋＷ／ｈ）を測定することができる。好ましくはこれと並列に、ステップ８０２において、期間Ｔｘの間に供給される電力量は、更なるエンティティ、具体的には更なるエンティティのピアツーピア・モジュール、に提供されることができる。例えば、これもまた、前述したように計量モジュールを使用して行われる。
【０１４１】
ステップ８０３及び８０４において、供給媒体量が第１のエンティティと更なるエンティティとの間の供給媒体取引契約に従って交換されたかどうかが、各々の場合にピアツーピア・アプリケーションを使用してチェックされることができる。例えば、測定された電力量は、それぞれのエンティティによってピアツーピア・アプリケーションに送信されることができる。その結果、全ピアツーピア・ネットワークがチェックを実行することができる。
【０１４２】
チェックの結果に応じて、第１のエンティティは、ステップ８０５において、合意された価格の全て（又は一部のみ）を暗号通貨で送金することができる。ステップ８０６において、他のエンティティが送金された暗号通貨を受け取る。ステップ８０５及び８０６はまた、前の説明に従ってピアツーピア・アプリケーションによって特に改ざん防止方法で実行される。具体的には、先に説明した妥当性チェックは、ピアのうちの少なくとも一部によって実行されることができる。
【０１４３】
全ピアツーピア・ネットワークは、好ましくは、エネルギー量が正しいかどうか及び／又は送金が正しく実行されたかどうかを、累積処理力を使用してチェックすることができ、それ故、例えば、第１のエンティティは実際に暗号通貨の保有体であった。
【０１４４】
ネットワーク事業者は、計量データに基づいて実際に測定された計量値を、その後例えば月、週などに一回公表し、これから、ピアツーピア・アプリケーションにおいて測定された量に関して実際に交換された供給媒体量に調整を行うということが提供されることもできる。この調整は、ピアツーピア・アプリケーションを使用して、例えばエンティティ間で相殺されることもできる。
【０１４５】
一般に、本システムは、「信頼性がない」モデルの基盤であるピアツーピア・ネットワーク内のノードによって個々の計量データを検証する能力を有する。中央権限での信頼は必要とされない。前述のように、ピアツーピア・アプリケーション又はピアツーピア・マッチングの検証及び例えば最適化はオンチェーン又はオフチェーンで行うことができる。オフチェーンとは、処理がブロックチェーンによって制御されることを意味する。処理自体は、サーバ／クラウドなどの他のデバイスによって実行されることができる。ブロックチェーンは、例えば検証処理の場合、複数のサーバが肯定結果又は否定結果を提供するかどうかをチェックすることができる。ピアツーピア・ネットワークの１つの実装では、唯一の検証ピア又は完全ノード、例えば１つのノードのみが検証処理を実行するように構成される、及び１つ又は複数の観察ノードが存在することができる。観測ノードは、信頼レベルを確立するために取引を検証することができるが、全ての取引を検証することはせず、全ての取引の検証は検証ピアによって行われる。
【図１】
0006719561.tif 000002
【図２】
0006719561.tif 000003
【図３】
0006719561.tif 000004
【図４】
0006719561.tif 000005
【図５】
0006719561.tif 000006
【図６】
0006719561.tif 000007
【図７】
0006719561.tif 000008
【図８】
0006719561.tif 000009